(57)【要約】【課題】依頼者が着物等の衣類を一旦見積業者に送付する必要なく、その場で簡単に見積結果を得ることができる極めて実用性に秀れた見積システムを提供するものである。【解決手段】傷や染み・汚れが付いた衣類が画像データとして入力される依頼者側端末と、衣類の修繕修復及びこの修繕修復にかかる費用の見積を行う業者に設置され、前記依頼者側端末と通信ネットワークを介して接続される見積側端末とから成る見積システムであって、前記見積側端末は、前記依頼者側端末から送信された前記画像データを所定の記憶領域に一時的に記憶する手段と、この記憶領域に記憶されている前記画像データの傷や染み・汚れが付いた部分を拡縮自在に表示する手段と、この画像データに基づく見積結果が記録される見積書を作成する手段と、この見積書を前記通信ネットワークを介して依頼者側端末に送信する手段とを備えたものである。【選択図】        図１
2005044101.tif 000002
【特許請求の範囲】
【請求項１】
傷や染み・汚れが付いた衣類が画像データとして入力される依頼者側端末と、衣類の修繕修復及びこの修繕修復にかかる費用の見積を行う業者に設置され、前記依頼者側端末と通信ネットワークを介して接続される見積側端末とから成る見積システムであって、前記見積側端末は、前記依頼者側端末から送信された前記画像データを所定の記憶領域に一時的に記憶する手段と、この記憶領域に記憶されている前記画像データの傷や染み・汚れが付いた部分を拡縮自在に表示する手段と、この画像データに基づく見積結果が記録される見積書を作成する手段と、この見積書を前記通信ネットワークを介して依頼者側端末に送信する手段とを備えたことを特徴とする見積システム。
【請求項２】
傷や染み・汚れが付いた衣類が画像データとして入力される依頼者側端末と、衣類の修繕修復及びこの修繕修復にかかる費用の見積を行う業者に設置され、前記依頼者側端末と通信ネットワークを介して接続される見積側端末とから成る見積システムであって、前記見積側端末は、前記依頼者側端末から送信された前記画像データを所定の記憶領域に一時的に記憶する手段と、この記憶領域に記憶されている前記画像データの傷や染み・汚れが付いた部分を拡縮自在に表示する手段と、この画像データに基づく見積結果が記録されると共に、前記衣類の修繕修復方法が記録される見積書を作成する手段と、この見積書を前記通信ネットワークを介して依頼者側端末に送信する手段とを備えたことを特徴とする見積システム。
【発明の詳細な説明】
【０００１】
【発明の属する技術分野】
本発明は、着物等の衣類をオンラインで見積する見積システムに関するものである。
【０００２】
【従来の技術及び発明が解決しようとする課題】
衣類、特に着物の染みや汚れは、染み方や汚れ方若しくは付着物等に応じて多岐に分類され、その着物の修繕修復方法も一義的に決められないため、着物に対して何ら専門知識のない一般人が染みや汚れの種類を特定し、更に、その染みや汚れ等に有効な修繕修復にかかる費用、具体的には、例えば、単なる染みと、汚れが付いてから時間が経過して酸化してしまった変色である黄変、多量の汗による汗染み等を見分け、これらに最適な加工である染み抜き，黄変抜き，汗抜き等にかかる費用を見積することは極めて厄介である。従って、前記見積は着物の専門家でなければ行うことができない。
【０００３】
ところが、一般に着物の専門家は少なく、着物を販売している全ての店舗に居る訳ではないため、依頼者が店舗に着物を持ち込んで見積を依頼しても、直ぐに見積結果を得ることはできなかった。
【０００４】
即ち、通常、着物の修繕修復を依頼する依頼者が、先ず店舗に着物を持ち込みこの着物の修繕修復を依頼すると、この店舗は、着物の修繕修復を行う専門業者にこの着物を送り、着物を受け取った専門業者の見積担当者がその着物の修繕修復にかかる費用を見積し、この見積結果を店舗のスタッフに連絡し、このスタッフから依頼者へ見積結果が連絡されることになり、この依頼者への連絡までに一般に３〜４日かかってしまう。
【０００５】
更に、見積結果の連絡を受けた依頼者がその着物の修繕修復を依頼した場合には、専門業者においてそのまま加工を行えば良いが、依頼者が見積結果を見て修繕修復を取りやめた場合、この専門業者から再度店舗にこの着物を送る必要があり、依頼者は５〜６日も着物を手放す必要がある。
【０００６】
従って、従来は依頼者がその場で見積結果を得られなかったのは勿論、着物をしばらく手放す必要があり、依頼者は着物の修繕修復若しくはその見積を気軽に依頼することができなかったのが現状である。
【０００７】
本発明は、上述のような現状に鑑み、依頼者が着物等の衣類を一旦見積業者に送付する必要なく、その場で簡単に見積結果を得ることができる極めて実用性に秀れた見積システムを提供するものである。
【０００８】
【課題を解決するため手段】
添付図面を参照して本発明の要旨を説明する。
【０００９】
傷や染み・汚れが付いた衣類が画像データとして入力される依頼者側端末と、衣類の修繕修復及びこの修繕修復にかかる費用の見積を行う業者に設置され、前記依頼者側端末と通信ネットワークを介して接続される見積側端末とから成る見積システムであって、前記見積側端末は、前記依頼者側端末から送信された前記画像データを所定の記憶領域に一時的に記憶する手段と、この記憶領域に記憶されている前記画像データの傷や染み・汚れが付いた部分を拡縮自在に表示する手段と、この画像データに基づく見積結果が記録される見積書を作成する手段と、この見積書を前記通信ネットワークを介して依頼者側端末に送信する手段とを備えたことを特徴とする見積システムに係るものである。
【００１０】
また、傷や染み・汚れが付いた衣類が画像データとして入力される依頼者側端末と、衣類の修繕修復及びこの修繕修復にかかる費用の見積を行う業者に設置され、前記依頼者側端末と通信ネットワークを介して接続される見積側端末とから成る見積システムであって、前記見積側端末は、前記依頼者側端末から送信された前記画像データを所定の記憶領域に一時的に記憶する手段と、この記憶領域に記憶されている前記画像データの傷や染み・汚れが付いた部分を拡縮自在に表示する手段と、この画像データに基づく見積結果が記録されると共に、前記衣類の修繕修復方法が記録される見積書を作成する手段と、この見積書を前記通信ネットワークを介して依頼者側端末に送信する手段とを備えたことを特徴とする見積システムに係るものである。
【００１１】
【発明の実施の形態】
好適と考える本発明の実施の形態（発明をどのように実施するか）を、図面に基づいてその作用効果を示して簡単に説明する。
【００１２】
依頼者側端末に入力された傷や染み・汚れが付いた衣類（例えば着物）の画像データは、この依頼者側端末から通信ネットワークを介して見積側端末に送信され、この画像データとして送信された着物の修繕修復にかかる費用の見積結果が見積側端末から前記通信ネットワークを介して依頼者側端末に送信される。
【００１３】
具体的には、前記見積側端末においては、前記画像データが記憶領域に一時的に記憶され、この記憶領域に記憶された画像データにして前記着物の傷や染み・汚れが付いた部分を拡縮自在に表示装置に表示することができるから、見積業者の見積担当者が着物の細部まで閲覧し、傷や染み・汚れを特定してその修繕修復にかかる費用を正確に検討・見積することができる。
【００１４】
特に、着物においては、染みや汚れが、染み方や汚れ方若しくは付着物等に応じて多岐に分類されることから、前記染みや汚れの状態を詳細に分析した上で、例えば、単なる染みであるのか、黄変や汗染みであるのかを見分け、夫々に適切な染み抜き，黄変抜き，汗抜き加工を行う必要があるため、修繕修復が必要である部分を拡大表示することは極めて重要である。
【００１５】
即ち、依頼者はこの見積結果を、着物を一旦見積業者に送る必要なく、単に依頼者側端末に着物の画像データを入力して、見積側端末に送信するだけで見積結果を直ぐに（即日）得ることができ、従来のように数日間も待つ必要なく且つ着物を手放す必要もなく極めて簡単に修繕修復の見積結果を得ることができ、よって、従来より気軽に前記着物の修繕修復の見積を依頼できることになる。
【００１６】
また、依頼者側端末としてノート型パソコン等の持ち運び可能な端末を採用することで、この依頼者側端末を持った店舗のスタッフや見積業者のスタッフが依頼者宅に訪問した際に見積を行うことができ、依頼者が一層気軽に見積を依頼することができることになるし、着物の定期的な検査等を行うことも可能となる。
【００１７】
従って、本発明は、依頼者が着物等の衣類を一旦見積業者に送付する必要なく、その場で簡単に見積結果を得ることができる極めて実用性に秀れた見積システムとなる。
【００１８】
【実施例】
本発明の具体的な実施例について図面に基づいて説明する。
【００１９】
本実施例は、傷や染み・汚れが付いた衣類が画像データとして入力される依頼者側端末と、衣類の修繕修復及びこの修繕修復にかかる費用の見積を行う業者に設置され、前記依頼者側端末と通信ネットワークを介して接続される見積側端末とから成る見積システムであって、前記見積側端末は、前記依頼者側端末から送信された前記画像データを所定の記憶領域に一時的に記憶する手段と、この記憶領域に記憶されている前記画像データの傷や染み・汚れが付いた部分を拡縮自在に表示する手段と、この画像データに基づく見積結果が記録される見積書を作成する手段と、この見積書を前記通信ネットワークを介して依頼者側端末に送信する手段とを備えたものである。
【００２０】
本実施例の依頼者側端末としては、ノート型パソコンを採用している。従って、着物を販売する店舗のスタッフや見積業者のスタッフが自由に持ち運びして、例えば依頼者宅においても見積できる構成である。尚、この依頼者側端末を着物を販売する店舗に夫々設置する場合には、デスクトップ型パソコンを採用しても良く、この場合には一層コスト安となる。
【００２１】
この依頼者側端末に、前記傷や染み・汚れが付いた衣類を画像データとして入力する方法としては、撮影装置において撮影した画像データを直接依頼者側端末に入力するように設定している。この撮影装置としては、デジタルカメラやビデオカメラ等、パソコンに直接データを送信できるものを採用している。また、本実施例は、静止画像データを見積側端末に送信する構成であるが、動画を送信してリアルタイムに見積できる構成としても良い。尚、画像データを直接入力せずに、印刷物をスキャナで読み込んだりする等、他の方法で入力する構成としても良い。
【００２２】
この撮影装置によって、修繕修復を依頼された衣類、例えば傷や染み・汚れ等が付いた着物の前記染みや汚れ等が付いた部分を中心に撮影し、この着物を撮影した画像データを依頼者側端末に入力し、依頼者側端末はこの画像データを見積側端末に通信ネットワークを介して送信する。
【００２３】
見積側端末において、前記依頼者側端末から送信される画像データの所定の記憶領域への記憶は、マウス若しくはキーボードによってこの画像データの記憶動作が指示された制御部によりメモリに格納されることで行われる。
【００２４】
このメモリに格納された画像データを表示装置であるディスプレイに表示するように制御部に指示することで、この画像データはディスプレイに表示される。
【００２５】
特に、着物においては、染みや汚れを正確に特定するために、この染みや汚れが付いた部分を拡大して詳細に調べることが必要であるため、前記ディスプレイに表示された画像データにして拡大表示若しくは縮小表示したい部分を、この拡大動作若しくは縮小動作が指示された制御部により、画像を拡大・縮小・切り出しする編集回路を制御することで拡縮自在に閲覧できるように設定している。
【００２６】
即ち、ディスプレイに拡大表示した画像データにおける修繕修復箇所を閲覧し、例えば、単なる染みであるのか、黄変若しくは汗染みであるのかを見分けた上で、夫々に適した加工方法である染み抜き、黄変抜き、汗抜きにかかる費用を見積することができる。
【００２７】
この画像データから見積された修繕修復費用は見積結果として通信ネットワークを介して前記依頼者側端末に送信される。具体的には、この画像データに基づく見積結果が記録されると共に、見積対象の衣類の修繕修復方法が記録された見積書が作成され、この見積書が送信される。
【００２８】
尚、本実施例において衣類の修繕修復とは、着物に付いた傷の繕い及び染み・汚れの染み抜き等、傷付いたり汚れたりした着物を加工して元の状態に戻すことを意味するものである。
【００２９】
見積書の作成は、見積書のひな型である見積書入力フォームをディスプレイに表示し、この見積書入力フォームにおける空欄に、前記見積結果及びその染みや汚れ等の修繕修復方法がマウス若しくはキーボードにより入力されることで見積書を作成するように制御部を制御する所定のプログラムにより行われる。
【００３０】
この見積書を、プリンタによって印刷して見積業者と依頼者とが一部ずつ保持し（若しくは見積業者においてはＨＤにデータとして保存し）、依頼者はこの見積書と着物とを一緒に見積業者に送ることで、見積業者においては、この見積書を照会して、この見積書に記録された修繕方法に基づいて（一々依頼者に作業内容を確認する必要なく）直ぐに加工を行うことができる。
【００３１】
また、前記画像データと共に受付番号を記憶しておいたり、前記見積書に認証コードを付けておくことでデータ管理が一層容易となる。
【００３２】
尚、当然本実施例を用いて前記着物を下取りする際の見積や、傷や染み・汚れの有無を検査することも可能である。
【００３３】
本実施例は上述のように構成したから、依頼者側端末に入力された傷や染み・汚れが付いた着物の画像データは、この依頼者側端末から通信ネットワークを介して見積側端末に送信され、この画像データとして送信された着物の修繕修復にかかる費用の見積結果が見積側端末から前記通信ネットワークを介して依頼者側端末に送信される。
【００３４】
具体的には、前記見積側端末においては、前記画像データが記憶領域に一時的に記憶され、この記憶領域に記憶された画像データにして前記着物の傷や染み・汚れが付いた部分を拡縮自在に表示装置に表示することができるから、見積業者の見積担当者が着物の細部まで閲覧し、傷や染み・汚れを特定してその修繕修復にかかる費用を正確に検討・見積することができる。特に、着物においては、染みや汚れが、染み方や汚れ方若しくは付着物等に応じて多岐に分類されることから、前記染みや汚れの状態を詳細に分析した上で判断する必要があるため、修繕修復が必要である部分を拡大表示することは極めて重要である。
【００３５】
即ち、依頼者はこの見積結果を、着物を一旦見積業者に送る必要なく、単に依頼者側端末に着物の画像データを入力して、見積側端末に送信するだけで見積結果を直ぐに（即日）得ることができ、従来のように数日間も待つ必要なく且つ着物を手放す必要もなく極めて簡単に修繕修復の見積結果を得ることができ、よって、従来より気軽に前記着物の修繕修復の見積を依頼できることになる。
【００３６】
また、依頼者側端末としてノート型パソコン等の持ち運び可能な端末を採用することで、この依頼者側端末を持った店舗のスタッフや見積業者のスタッフが依頼者宅に訪問した際に見積を行うことができ、依頼者が一層気軽に見積を依頼することができることになるし、着物の定期的な検査等を行うことも可能となる。
【００３７】
従って、本実施例は、依頼者が着物を一旦見積業者に送付する必要なく、その場で簡単に見積結果を得ることができる極めて実用性に秀れた見積システムとなる。
【００３８】
尚、本実施例においては、特に着物の場合について詳述したが、衣類であれば着物に限らず他のものであっても略同様に本実施例を適用できる。
【００３９】
【発明の効果】
本発明は上述のように構成したから、依頼者が着物等の衣類を一旦見積業者に送付する必要なく、その場で簡単に見積結果を得ることができる極めて実用性に秀れた見積システムとなる。
【００４０】
また、請求項２記載の発明においては、本発明を一層容易に実現できるより一層実用性に秀れた見積システムとなる。
【図面の簡単な説明】
【図１】本実施例の概略説明図である。
【図１】
2005044101.tif 000003